(57)【要約】本発明は、デジタル無線信号を受信する装置に関する。この装置は、チューナとこのチューナに接続されている復調器とを有するデジタル受信機を備える。さらに、この装置は、第１マイクロコンピュータを有する。復調器と第１マイクロコンピュータは、デジタル受信機の機器インターフェースを介して追加モジュールに接続されている。この追加モジュールは、第２マイクロコンピュータと第２マイクロコンピュータによって制御される信号処理ユニットを有する。この信号処理ユニットの出力部が、機器インターフェースに接続されている。さらにこの装置は、パケット開始検出器を有する。このパケット開始検出器は、動作モードの切替時に画像ノイズ，音声ノイズ又はデータノイズを阻止する。
2004526349.tif 000002
【特許請求の範囲】
【請求項１】
−チューナと復調器を有する受信ユニット及び第１マイクロコンピュータを有するデジタル受信機、並びに、
−第１マイクロコンピュータを備え、この場合、
−ＭＰＥＧトランスポートストリームに対応するデータが、復調器の出力部に存在し、この場合、
−復調器が、信号処理ユニットに接続されていて、かつデジタル受信機の機器インターフェースを介して追加モジュールに接続されていて、この場合、
−追加モジュールは、第２信号処理ユニットを有し、この第２信号処理ユニットの出力部が、機器インターフェースを介して第１信号処理ユニットに接続されているデジタル無線信号を受信する装置において、
−この装置は、復調器（５）の出力部に接続されているパケット開始検出器（２１）を有すること、
−制御信号が、第１マイクロコンピュータ（７）のパケット開始検出器（２１）に入力可能であること、及び、
−パケット開始インディケータが発生したときに初めて、パケット開始検出器  （２１）が制御信号に応答して信号処理ユニット（８）への信号経路を開放することを特徴とする装置。
【請求項２】
第１マイクロコンピュータ（７）は、番組切替命令の入力後に制御信号を生成することを特徴とする請求項１に記載の装置。
【請求項３】
第１マイクロコンピュータ（７）は、デジタル受信機を第１動作モードから第２動作モードに又は第２動作モードから第１動作モードに切り替えた後に制御信号を生成し、この場合、第１動作モードでは、復調器（５）の出力部に存在するＭＰＥＧトランスポートストリームが追加モジュール（１２）を迂回して第１信号処理ユニット（８）に直接入力され、第２動作モードでは、復調器（５）の出力部に存在するＭＰＥＧトランスポートストリームが追加モジュール（１２）を経由して第１信号処理ユニット（８）に入力されることを特徴とする請求項１又は２に記載の装置。
【請求項４】
装置は、復調器（５）と第１信号処理ユニット（８）との間に第１スイッチ（Ｓ１）を有し、このスイッチ（Ｓ１）の制御入力部が、パケット開始検出器（２１）の出力部に接続されていることを特徴とする請求項１〜３のいずれか１項に記載の装置。
【請求項５】
装置は、第２信号処理ユニット（１４）と第１信号処理ユニット  （８）との間に第２スイッチ（Ｓ２）を有し、この第２スイッチ（Ｓ２）の制御入力部が、パケット開始検出器（２１）の出力部に接続されていることを特徴とする請求項１〜４のいずれか１項に記載の装置。
【請求項６】
パケット開始検出器（２１）は、第２信号処理回路（１４）の出力部に接続されていることを特徴とする請求項５に記載の装置。
【請求項７】
パケット開始検出器（２１）は、デジタル受信機（１）の構成要素であることを特徴とする請求項１〜６のいずれか１項に記載の装置。
【請求項８】
パケット開始検出器（２１）は、追加モジュール（１２）の構成要素であることを特徴とする請求項１〜６のいずれか１項に記載の装置。
【請求項９】
装置は、復調器（５）の出力部に接続されている伝送フレーム開始検出器（２１）をさらに有し、伝送フレーム開始インディケータが発生したときに初めて、この伝送フレーム開始検出器（２１）は、制御信号に応答して第１信号処理ユニット（８）への信号経路を開放することを特徴とする請求項１〜８のいずれか１項に記載の装置。
【請求項１０】
伝送フレームの開始は、新しい画像，新しい音声信号の単位又はデータ信号の単位の開始に相当することを特徴とする請求項９に記載の装置。
【請求項１１】
デジタル受信機は、セットトップボックス又はデジタルテレビジョン受信機であることを特徴とする請求項１〜１０のいずれか１項に記載の装置。
【発明の詳細な説明】
【技術分野】
【０００１】
本発明は、デジタル無線信号を受信する装置に関する。
【背景技術】
【０００２】
いわゆるセットトップボックスが既に公知である。これらのセットトップボックスは、アナログ式の衛星無線信号及び／又はデジタル式の衛星無線信号を受信するために設けられている。このようなセットトップボックスは、一般に独立した機器の形態で実現され、衛星受信設備の外部ユニットと既存のテレビジョン受信機との間で切り替えられる。このようなセットトップボックスでは、衛星受信設備の外部ユニットから導き出された信号が、テレビジョン受信機のＨＦ入力部又はテレビジョン受信機のユーロＡＶジャックを経由してこの既存のテレビジョン受信機に入力される信号に変換される。
【０００３】
さらに、セットトップボックスの構成群をモジュールの形態で実現し、このモジュールをテレビジョン受信機のハウジング内に組み込むことが公知である。
【０００４】
無線衛星を通じて伝送されたデジタル無線信号は、デジタルオーディオデータとデジタルビデオデータのほかにデジタル受信機によって受信可能であるデジタル文字放送データとその他のデジタルデータも有し得る。さらに、デジタル受信機を用いてインターネットデータ及び／又はその他のデータサービスにアクセスすることも好ましい。デジタル受信機を１台だけ用いて多数の異なるデジタルデータを受信し処理できるようにしたい場合、デジタル受信機の製造価格及び末端価格も高いことを我慢しなければならない。しかも、このようなデジタル受信機の構成は複雑である。その結果、機器の開発者に対する要求は高い。さらに実際には、機器の機能の大半は、このようなデジタル受信機の大部分の購入者によって決して利用されない。それにもかかわらず、これらの機器購入者は、上述した高い価格をデジタル受信機に対して支払わなければならない。
【０００５】
これらの欠点は、ドイツ連邦共和国特許出願第10007710.2号明細書中に記されているようなデジタル無線信号を受信する装置で回避される。請求項１の上位概念に一致するこの公知の装置は、追加モジュールを有する。この追加モジュールは、機器インターフェースを介してデジタル受信機に接続されている。この追加モジュールは、信号処理ユニットを有する。受信信号から導き出されたデジタル受信機で任意に処理可能なＭＰＥＧトランスポートストリームが、この信号処理ユニットの入力部に入力される。追加モジュールの信号処理ユニットの出力信号が、機器インターフェースを経由してデジタル受信機に返送され、そこで再処理される。
【発明の開示】
【発明が解決しようとする課題】
【０００６】
本発明の課題は、ドイツ連邦共和国特許出願第10007710.2号明細書中に記された装置を改良する手段を提供することにある。
【課題を解決するための手段】
【０００７】
この課題は、請求項１に記載の特徴を備えた装置によって解決される。本発明の好適な構成及びその他の構成は、従属請求項中に記載されている。
【０００８】
本発明の利点は、動作モードがダイレクトモードからバイパスモードに又はバイパスモードからダイレクトモードに切り換わるときに、切換ノイズが発生しない点である。ダイレクトモードの場合、ＭＰＥＧトランスポートストリームが追加モジュールを迂回して処理される。バイパスモードの場合、ＭＰＥＧトランスポートストリームが追加モジュール内で処理される。本発明のその他の好適な特性は、デジタル無線信号を受信する装置のブロック図に基づいた事例に記載されている。
【発明を実施するための最良の形態】
【０００９】
本発明の装置は、衛星受信アンテナ２を有する。この衛星受信アンテナ２の出力信号が、デジタル受信器１の入力端子３を経由してこのデジタル受信機１に入力される。デジタル受信機によって受信される信号を再生するため、デジタル受信機の出力部１０に接続されているテレビジョン受信機１１が設けられている。さらにこのデジタル受信機１は、機器インターフェース６を介して追加モジュール１２に接続している。この装置は、いろいろな動作モードで動作可能である。
【００１０】
第１動作モードでは、衛星アンテナ２によって導き出された信号が、セットトップボックスの入力端子３を経由してデジタル受信機１に入力される。デジタル受信機１はセットトップボックスである。これらの信号は、そこからチューナ４を経由して復調器５に入力される。この復調器５は、その出力部でＭＰＥＧトランスポートストリーム式のデジタルデータを任意に処理する。このトランスポートストリームは、多数のサービスのマルチプレクスを有する。この場合、信号は、パケットの形態で伝送される。サービスは、１つ又は多数のテレビ番組，１つ又は多数のラジオ番組，文字放送データのようなラジオ番組又はテレビ番組に対する付加データ，他言語オーディオデータ，番組雑誌や字幕データを含み得る。さらにサービスには、ＥＤＶ用のデータサービスやプログラムもある。
【００１１】
このトランスポートストリームは、スイッチＳ１を経由して信号処理ユニット８に入力される。所望のサービス又はサービスに対応する付属データストリーム(Unterdatenstrom) が、この信号処理ユニット８内で選択される。さらに、この信号処理ユニット８内では、選択された付属データストリームが、出力部１０を経由して接続されているテレビジョン受信機に入力される信号に変換される。変換された信号は、そこで画面上に表示される。
【００１２】
チューナ４，復調器５及び信号処理ユニット８は、セットトップボックスのマイクロコンピュータ７内で生成される制御信号によって制御される。このマイクロコンピュータ７は、制御信号をサービス命令に応じて生成する。これらのサービス命令は、遠隔制御送信器１６と遠隔制御受信器１７を有するセットトップボックスの命令ユニットによって入力される。
【００１３】
本発明の装置のもう１つの動作モードでは、衛星アンテナ２によって導き出された信号が、デジタル受信機１の入力端子３を経由してこのデジタル受信機１に入力される。デジタル受信機１はセットトップボックスである。これらの信号は、そこからチューナ４を経由して復調器５に入力される。この復調器５は、その出力部でＭＰＥＧトランスポートストリーム式のデジタルデータを任意に処理する。このＭＰＥＧトランスポートストリームは、−既に上述したように−多数のサービスのマルチプレクスを有する。これらのサービスの１つは、暗号化された画像信号を含む。
【００１４】
そのため、セットトップボックス１自体は、こうして暗号化された画像信号を復号化することができない。したがってこの場合は、ＭＰＥＧトランスポートストリームが、機器インターフェース６を経由して追加モジュール１２に入力される。この追加モジュール１２は信号処理ユニット１４を有する。画像信号復号器が、この信号処理ユニット１４内に設けられている。
【００１５】
暗号化された画像信号に相当する付属データストリームを分離するためには、この付属データストリームの付随する識別子を追加モジュール１２に伝達する必要がある。その結果、この追加モジュールは、この付随データストリームを独自に抽出し復号化できる。この場合、これらの識別子は、セットトップボックスのサービスユニット１６，１７の命令によって直接に又は間接にプリセットされ得、そしてマイクロコンピュータ７とインターフェース６を経由して追加モジュールのマイクロコンピュータ１５に入力される。このマイクロコンピュータ１５は、信号処理ユニット１４用の制御信号を生成する。この制御信号は、復号化すべき付随データストリームを特定する。
【００１６】
信号処理ユニット１４によって復号化された信号は、機器インターフェース６とスイッチＳ２を経由してセットトップボックス１の信号処理ユニット８に返送される。
【００１７】
セットトップボックス１又はこのセットトップボックスに接続されているテレビジョン受信機１１は、送信器メモリ又は番組メモリを有する。多数のテレビ番組に対して付記されたデータが、このメモリ内に記憶されている。例えば、受信周波数に関する情報，テレビ番組に対応する付随データストリームの識別子，場合によっては暗号化の方式等が、これらのデータに属される。
【００１８】
希望のテレビ番組が遠隔制御送信器１６のキーを用いて切替えられると、マイクロコンピュータ７が、希望のテレビ番組に属する特徴データを上述した送信器メモリから読取り、これらのデータをチューナ４，復調器５，パケット検査検出器２１及び信号処理ユニット８の制御に使用する。さらに、マイクロコンピュータ７は、特徴データのうちの特定の特徴データをインターフェース６を通じて追加モジュール１２のマイクロコンピュータ１５に伝送する。例えば、その都度の付随データストリームの識別子や場合によっては暗号化の方式が、インターフェース６を通じてマイクロコンピュータ１５に伝送されるこれらの特徴データに属する。
【００１９】
例えば番組を暗号化されないで伝送される第１のテレビ番組から暗号化されて伝送されるテレビ番組に切替えるときは、ダイレクトモードからバイパスモードに切り替える必要がある。ダイレクトモードの場合、ＭＰＥＧデータストリームが、追加モジュール１２を迂回しスイッチＳ１を経由して信号処理ユニット８に直接入力される。バイパスモードの場合、ＭＰＥＧデータストリームが、追加モジュール１２とスイッチＳ２を経由して信号処理ユニット８に入力される。
【００２０】
この切り替え時に再生される画像中のノイズを阻止するか又はできるだけ抑えるため、この実施の形態ではパケット開始検出器２１，スイッチＳ１及びスイッチＳ２が設けられている。
【００２１】
遠隔制御送信器を用いて入力された対応する切替え命令が、マイクロコンピュータ７によって記録される。このマイクロコンピュータ７は、送信器メモリ９から読取られる特徴データによって切り替えがダイレクトモードからバイパスモードに実行されたことを確認し、対応する制御信号をパケット開始検出器２１に入力する。このパケット開始検出器２１は、追加モジュール１２によって入力された復号化された信号を評価することによってデータストリーム中に含まれているパケット開始インディケータに基づくパケットの開始を確認し、このパケット開始インディケータの発生時に初めてスイッチＳ２を閉じることによって追加モジュール１２と信号処理回路８との間の信号経路を開放（解除）する。同時に、パケット開始検出器２１が、そこに接続されているスイッチＳ１を開く。
【００２２】
このようなパケットに同期する新しいデータ経路への切り替えによって、特に再生画像中のノイズと新しい画像の入手までの時間遅延に結びつくパケットの継続中の切り替えが実行されることが阻止される。
【００２３】
特にデータブロック２１内には、パケット開始検出器に加えて伝送フレーム開始検出器も含まれる。希望するテレビ番組の完全な画像が、ＭＰＥＧデータストリーム中で多数のパケットに分割されている。これらのパケットは、時間マルチプレクサでその他のテレビ番組及び別のサービスと共に伝送される。  上述した伝送フレーム開始検出器を用いると、新しい画像の開始が、データストリーム中に含まれている伝送フレーム開始ビットを評価することによって検出される。そして、パケット開始検出器と伝送フレーム開始検出器の双方がＡＮＤ結合の意味で出力信号を任意に処理するときにはじめて、上述した切替過程が解除される。このことは、例えばフリップ・フロップを有する簡単な論理回路を使用して実現され得る。
【００２４】
これに対して暗号化されて伝送される第１のテレビ番組から暗号化されないで伝送される第２のテレビ番組に番組を切り替えるときは、バイパスモードからダイレクトモードに切り替える必要がある。バイパスモードの場合、ＭＰＥＧデータストリームが、追加モジュール１２とスイッチＳ２を経由して信号処理ユニット８に入力される。ダイレクトモードの場合、ＭＰＥＧデータストリームが、追加モジュール１２を迂回しスイッチＳ１を経由してしのぐ処理ユニット８に直接入力される。
【００２５】
この切り替え時に再生画像中のノイズを阻止するか又はできるだけ抑えるため、この実施の形態ではパケット開始検出器２１，スイッチＳ１及びスイッチＳ２が設けられている。
【００２６】
遠隔制御送信器を用いて入力される対応する切り替え命令は、マイクロコンピュータ７によって記録される。このマイクロコンピュータ７は、送信器メモリ７から読取られる特徴データによって切り替えがバイパスモードからダイレクトモードに実行されたことを確認し、対応する制御信号がパケット開始検出器２１に入力される。このパケット開始検出器２１は、復調器５によって入力された復号化された信号を評価することによってＭＰＥＧトランスポートストリーム中に含まれているパケット開始インディケータに基づくパケットの開始の存在を確認する。そして、上述したパケット開始インディケータが発生したときに初めて、スイッチＳ１を閉じることによって復調器５と信号処理回路８との間の信号経路を開放する。同時に、パケット開始検出器２１が、そこに接続されているスイッチＳ２を開く。
【００２７】
このようなパケットに同期する新しいデータ経路への切り替えによって、特に再生画像中のノイズと新しい画像の入手までの時間遅延に結びつくパケットの継続中の切り替えが実行されることが阻止される。
【００２８】
特にデータブロック２１内には、パケット開始検出器に加えて伝送フレーム開始検出器も含まれる。希望するテレビ番組の完全な画像が、ＭＰＥＧデータストリーム中で多数のパケットに分割されている。これらのパケットは、時間マルチプレクサでその他のテレビ番組及び別のサービスと共に伝送される。  上述した伝送フレーム開始検出器を用いると、新しい画像の開始が、データストリーム中に含まれている伝送フレーム開始ビットを評価することによって検出される。そして、パケット開始検出器と伝送フレーム開始検出器の双方がＡＮＤ結合の意味で出力信号を任意に処理するときにはじめて、上述した切替過程が解除される。このことは、例えばフリップ・フロップを有する簡単な論理回路を使用して実現され得る。
【００２９】
画像信号を受信する代わりに、音声信号，データ信号及びその他のサービスが、図中に示された装置によって受信可能でかつ再生可能である。このとき、新しい伝送フレームの開始は、例えば新しい音声信号単位の開始又は新しいサービス信号単位の開始である。このことは、ここでもＭＰＥＧトランスポートストリーム中の伝送フレーム開始インディケータを伝送することによって知らされる。
【００３０】
説明した追加モジュール１２は、特に扁平でフレキシブルディスクに似た構造である。この追加モジュール１２は、セットトップボックスの入力スリットによってこのセットトップボックス内に差込み可能である。そしてこの追加モジュール１２は、差込まれた状態で機器インターフェース６に接触している。これによって、追加モジュールを異なるセットトップボックスでフレキシブルに使用することが容易に可能である。
【００３１】
本発明のデジタル受信機はセットトップボックスでなくてもよい。デジタル受信機は、説明した機器インターフェース６を備えたテレビジョン受信機でもよい。追加モジュールが、この機器インターフェース６を通じて受信機に接続可能である。
【図面の簡単な説明】
【００３２】
【図１】デジタル無線信号を受信する装置のブロック図である。
【符号の説明】
【００３３】
１  デジタル受信機
２  衛星受信アンテナ
３  入力端子
４  チューナ
５  復調器
６  機器インターフェース
７  マイクロコンピュータ
８  信号処理ユニット
９  送信器メモリ
１０  出力部
１１  テレビジョン受信機
１２  追加モジュール
１５  マイクロコンピュータ
１６  遠隔制御送信器
１７  遠隔制御受信器
２１  パケット開始検出器
Ｓ１  スイッチ
Ｓ２  スイッチ
【国際公開パンフレット】
2004526349.tif 000003
2004526349.tif 000004
2004526349.tif 000005
2004526349.tif 000006
2004526349.tif 000007
2004526349.tif 000008
2004526349.tif 000009
2004526349.tif 000010
2004526349.tif 000011
2004526349.tif 000012
2004526349.tif 000013
2004526349.tif 000014
2004526349.tif 000015
2004526349.tif 000016
2004526349.tif 000017
【国際調査報告】
2004526349.tif 000018
2004526349.tif 000019
2004526349.tif 000020
2004526349.tif 000021
2004526349.tif 000022
2004526349.tif 000023
2004526349.tif 000024
2004526349.tif 000025